(57)【要約】【課題】視聴中のチューナ選局されたものとは別のチャネルを選局しての裏録を、複数のチューナモジュールを持たずに可能とするデジタル放送受信機を得ることを目的とする。【解決手段】チューナモジュール２が受信しているチャネルの数が所定の数未満である場合、ＣＰＵ８は、出力部９が出力している音声データＡが多重されたチャネルＡ以外のチャネルＢを指定する。チューナモジュール２は、ＣＰＵ８が指定したチャネルＢを受信し、受信したチャネルＢをトランスポートストリームに多重して出力する。ＴＳ分離部３は、チューナモジュール２が出力したトランスポートストリームからチャネルＢに多重された音声データＢを抽出する。そして、蓄積部４は、ＴＳ分離部３が抽出した音声データＢを蓄積する。【選択図】図１
2007281993.tif 000002
【特許請求の範囲】
【請求項１】
デジタル放送データが多重された複数のチャネルのうち、所定の数のチャネルを同時に受信可能なチューナ部と、
前記チューナ部が受信した第１のチャネルに多重された第１のデジタル放送データを抽出する分離部と、
前記分離部が抽出した第１のデジタル放送データを出力する出力部とを備えるデジタル放送受信機において、
前記チューナ部が受信しているチャネルの数が前記所定の数未満であるか否かを判断し、前記チューナ部が受信しているチャネルの数が前記所定の数未満であると判断した場合には、前記出力部が出力している第１のデジタル放送データが多重されたチャネル以外の第２のチャネルを指定する判断部を備え、
前記チューナ部は、前記判断部が指定した第２のチャネルを受信し、
前記分離部は、前記チューナ部が受信した第２のチャネルに多重された第２のデジタル放送データを抽出し、
前記デジタル放送受信機は、さらに、
前記分離部が抽出した第２のデジタル放送データを蓄積する蓄積部を備えることを特徴とするデジタル放送受信機。
【請求項２】
前記デジタル放送受信機は、さらに、
前記分離部が抽出した第１のデジタル放送データと前記蓄積部が蓄積している第２のデジタル放送データとのうちいずれかを選択する選択部を備え、
前記出力部は、前記選択部が選択したデジタル放送データを出力することを特徴とする請求項１に記載のデジタル放送受信機。
【請求項３】
デジタル放送データが多重された複数のチャネルのうち、所定の数のチャネルを同時に受信可能であって、受信したチャネルをトランスポートストリームに多重して出力するチューナ部と、
前記チューナ部が出力した第１のトランスポートストリームからデジタル放送データを抽出する分離部と、
前記分離部が抽出したデジタル放送データを出力する出力部とを備えるデジタル放送受信機において、
前記チューナ部が受信しているチャネルの数が前記所定の数未満であるか否かを判断し、前記チューナ部が受信しているチャネルの数が前記所定の数未満であると判断した場合には、前記出力部が出力しているデジタル放送データが多重されたチャネル以外のチャネルを指定する判断部を備え、
前記チューナ部は、前記判断部が指定したチャネルを受信し、受信したチャネルを第２のトランスポートストリームに多重して出力し、
前記デジタル放送受信機は、さらに、
前記チューナ部が出力した第２のトランスポートストリームを蓄積する蓄積部と、
前記チューナ部が出力した第１のトランスポートストリームと前記蓄積部が蓄積している第２のトランスポートストリームとのうちいずれかを選択する選択部とを備え、
前記分離部は、前記選択部が選択したトランスポートストリームからデジタル放送データを抽出することを特徴とするデジタル放送受信機。
【請求項４】
デジタル放送データが多重された複数のチャネルのうち、所定の数のチャネルを同時に受信可能なデジタル放送受信機のチューナ部が、第１のチャネルを受信する第１の受信ステップと、
前記デジタル放送受信機の分離部が、前記チューナ部が受信した第１のチャネルに多重された第１のデジタル放送データを抽出する第１の分離ステップと、
前記デジタル放送受信機の出力部が、前記分離部が抽出した第１のデジタル放送データを出力する第１の出力ステップと、
前記デジタル放送受信機の判断部が、前記チューナ部が受信しているチャネルの数が前記所定の数未満であるか否かを判断し、前記チューナ部が受信しているチャネルの数が前記所定の数未満であると判断した場合には、前記出力部が出力している第１のデジタル放送データが多重されたチャネル以外の第２のチャネルを指定する判断ステップと、
前記チューナ部が、前記判断部が指定した第２のチャネルを受信する第２の受信ステップと、
前記分離部が、前記チューナ部が受信した第２のチャネルに多重された第２のデジタル放送データを抽出する第２の分離ステップと、
前記デジタル放送受信機の蓄積部が、前記分離部が抽出した第２のデジタル放送データを蓄積する蓄積ステップとを備えることを特徴とするデジタル放送受信方法。
【請求項５】
前記デジタル放送受信方法は、さらに、
前記デジタル放送受信機の選択部が、前記分離部が抽出した第１のデジタル放送データと前記蓄積部が蓄積している第２のデジタル放送データとのうちいずれかを選択する選択ステップと、
前記出力部が、前記選択部が選択したデジタル放送データを出力する第２の出力ステップとを備えることを特徴とする請求項４に記載のデジタル放送受信方法。
【請求項６】
デジタル放送データが多重された複数のチャネルのうち、所定の数のチャネルを同時に受信可能なデジタル放送受信機のチューナ部が、チャネルを受信し、受信したチャネルをトランスポートストリームに多重して出力する第１の受信ステップと、
前記デジタル放送受信機の分離部が、前記チューナ部が出力した第１のトランスポートストリームからデジタル放送データを抽出する第１の分離ステップと、
前記デジタル放送受信機の出力部が、前記分離部が抽出したデジタル放送データを出力する出力ステップと、
前記デジタル放送受信機の判断部が、前記チューナ部が受信しているチャネルの数が前記所定の数未満であるか否かを判断し、前記チューナ部が受信しているチャネルの数が前記所定の数未満であると判断した場合には、前記出力部が出力しているデジタル放送データが多重されたチャネル以外のチャネルを指定する判断ステップと、
前記チューナ部が、前記判断部が指定したチャネルを受信し、受信したチャネルを第２のトランスポートストリームに多重して出力する第２の受信ステップと、
前記デジタル放送受信機の蓄積部が、前記チューナ部が出力した第２のトランスポートストリームを蓄積する蓄積ステップと、
前記デジタル放送受信機の選択部が、前記チューナ部が出力した第１のトランスポートストリームと前記蓄積部が蓄積している第２のトランスポートストリームとのうちいずれかを選択する選択ステップと、
前記分離部が、前記選択部が選択したトランスポートストリームからデジタル放送データを抽出する第２の分離ステップとを備えることを特徴とするデジタル放送受信方法。
【発明の詳細な説明】
【技術分野】
【０００１】
本発明は、デジタル放送受信機及びデジタル放送受信方法に関するものである。本発明は、特に、デジタル放送を視聴しながら裏番組録画（以下、裏録と略記する）を行うデジタル放送受信機及びデジタル放送受信方法に関するものである。
【背景技術】
【０００２】
デジタル放送においては、チューナにて選局された一つのチャネル帯域幅に複数のチャネルを多重して送信することができる。従来のデジタル放送受信機は、チューナモジュールを複数持たない場合、視聴中のチューナ選局された他の多重化されたチャネルに限って、視聴と同時に裏録を行うように構成されていた（例えば、特許文献１参照）。
【特許文献１】特開２００１−７８１０９号公報
【発明の開示】
【発明が解決しようとする課題】
【０００３】
従来のデジタル放送受信機は上記のように構成されているので、視聴中のチューナ選局されたチャネル帯域中に多重化された他のチャネルは裏録可能だが、チューナ選局されてない任意のチャネル（チャネル帯域）を選局しての裏録はできない等の課題があった。
【０００４】
本発明は、視聴中のチューナ選局されたものとは別のチャネルを選局しての裏録を、複数のチューナモジュールを持たずに可能とするデジタル放送受信機を得ることを目的とする。
【課題を解決するための手段】
【０００５】
本発明に係るデジタル放送受信機は、
デジタル放送データが多重された複数のチャネルのうち、所定の数のチャネルを同時に受信可能なチューナ部と、
前記チューナ部が受信した第１のチャネルに多重された第１のデジタル放送データを抽出する分離部と、
前記分離部が抽出した第１のデジタル放送データを出力する出力部とを備えるデジタル放送受信機において、
前記チューナ部が受信しているチャネルの数が前記所定の数未満であるか否かを判断し、前記チューナ部が受信しているチャネルの数が前記所定の数未満であると判断した場合には、前記出力部が出力している第１のデジタル放送データが多重されたチャネル以外の第２のチャネルを指定する判断部を備え、
前記チューナ部は、前記判断部が指定した第２のチャネルを受信し、
前記分離部は、前記チューナ部が受信した第２のチャネルに多重された第２のデジタル放送データを抽出し、
前記デジタル放送受信機は、さらに、
前記分離部が抽出した第２のデジタル放送データを蓄積する蓄積部を備えることを特徴とする。
【発明の効果】
【０００６】
本発明では、デジタル放送受信機において、所定の数のチャネルを同時に受信可能なチューナ部が受信しているチャネルの数が所定の数未満であるか否かを判断部が判断し、チューナ部が受信しているチャネルの数が所定の数未満であると判断部が判断した場合には、出力部が出力している第１のデジタル放送データが多重されたチャネル（第１のチャネル）以外の第２のチャネルを判断部が指定し、判断部が指定した第２のチャネルをチューナ部が受信し、チューナ部が受信した第２のチャネルに多重された第２のデジタル放送データを分離部が抽出し、分離部が抽出した第２のデジタル放送データを蓄積部が蓄積することにより、複数のチューナモジュールを持たないデジタル放送受信機において、視聴中のチューナ選局されたものとは別のチャネルを選局しての裏録が可能となる。
【発明を実施するための最良の形態】
【０００７】
以下、本発明の実施の形態について、図を用いて説明する。
【０００８】
実施の形態１．
本実施の形態に係るデジタル放送受信機は、例えば、複数のチャネルを符号分割多重（以下、ＣＤＭと略記する）した方式を使用している衛星デジタル音声放送用受信機である。本実施の形態では、その運用規定であるＡＲＩＢ  ＴＲ―Ｂ２６の第７編付録で規定（以下、前記規格と略記する）されている衛星デジタル放送用受信機のチューナモジュールが、標準的にサポートしている４ＣＤＭチャネルまで同時受信可能な選局手段を使用し、視聴に供している同時選局数に対し、まだ他に同時選局可能な空きがあるかを判定し、ありと判定された場合にその空きの同時選局機能を使って、任意のチャネルを選局し裏録をするようにしたものである。本実施の形態によれば、前記規格で規定されている衛星デジタル放送用受信機のチューナモジュールが標準的にサポートしている選局手段を利用して、空きのＣＤＭチャネルを裏録用に使用するように構成したので、複数のチューナモジュールを使用することなく、任意のチャネルの裏録ができるようになり、デジタル放送受信機が安価にでき、利便性が得られる効果がある。
【０００９】
図１は、本実施の形態に係るデジタル放送受信機の構成を示すブロック図である。
【００１０】
本実施の形態に係るデジタル放送受信機は、アンテナ１、チューナモジュール２（チューナ部の一例）、ＴＳ分離部３（分離部の一例）、蓄積部４、スイッチ５（切替えスイッチともいう）（選択部の一例）、ＣＰＵ８（Ｃｅｎｔｒａｌ・Ｐｒｏｃｅｓｓｉｎｇ・Ｕｎｉｔ）（判断部の一例）、出力部９を備える。出力部９は、音声デコーダ６、スピーカ７を含む。出力部９は、映像デコーダ、ＣＲＴ（Ｃａｔｈｏｄｅ・Ｒａｙ・Ｔｕｂｅ）やＬＣＤ（液晶ディスプレイ）の表示画面を有する表示装置等を含んでいてもよい。
【００１１】
蓄積部４は、例えば、フラッシュメモリ、磁気ディスク装置等である。ＣＰＵ８は、バスを介してチューナモジュール２、ＴＳ分離部３、蓄積部４、スイッチ５、出力部９と接続され、これらのハードウェアデバイスを制御する。また、ＣＰＵ８は、図示していないＲＯＭ（Ｒｅａｄ・Ｏｎｌｙ・Ｍｅｍｏｒｙ）、ＲＡＭ（Ｒａｎｄｏｍ・Ａｃｃｅｓｓ・Ｍｅｍｏｒｙ）等と接続され、これらのハードウェア資源を制御してもよい。ＲＡＭは、揮発性メモリの一例である。ＲＯＭ、フラッシュメモリ、磁気ディスク装置は、不揮発性メモリの一例である。これらは、記憶部の一例である。ＣＰＵ８は、記憶部に記憶されたプログラムを実行する。
【００１２】
図１において、アンテナ１より入力された衛星デジタル放送波は、チューナモジュール２に入力される。チューナモジュール２はＣＰＵ８にてチャネル選択指示された最大４ＣＤＭチャネル分をそれぞれＣＤＭ復調するとともにトランスポート（以下、ＴＳと略記する）ストリームに復号する。チューナモジュール２は、その後、それらを再多重し最大４ＣＤＭ分のＴＳストリームとしてＴＳ分離部３に送る。ＴＳ分離部３は、ＣＰＵ８により蓄積用に分離指定された音声データを分離し蓄積部４にて蓄積する。また、同様にＴＳ分離部３はＣＰＵ８により再生用に分離指定された音声データを分離し、スイッチ５を経由して音声デコーダ６に送出する。スイッチ５はＣＰＵ８の指示により音声デコーダ６へ供給するストリームをＴＳ分離部３からのデータなのか、蓄積部４からのデータなのかを切り替える。音声デコーダ６は入力された符号化された音声データをデコードし、スピーカ７にて音声出力する。
【００１３】
次に、全体動作説明の前にチューナモジュール２について先に説明する。アンテナ１より入力された衛星デジタル放送波は、チューナモジュール２にてＣＤＭ復調及びＴＳストリームへの復号が行われる。前記規格で規定されている衛星放送用受信機は自由に４ＣＤＭチャネルまで同時受信可能であることが要求されているため、チューナモジュール２もＣＰＵ８の指示により自由に選択された最大４ＣＤＭ分を復調することが可能である。また、復調されたそれぞれのＣＤＭデータはＴＳ復号され、多重化されて一本のＴＳストリームとしてＴＳ分離部３へ送られることとなる。
【００１４】
この同時受信可能な４ＣＤＭチャネルの割当てについては、前記規格に記載されている例のように、チャネル選局のための各種制御情報受信用（以下、システムチャネルと略記する）に２ＣＤＭを、残りのＣＤＭを音声データ等のコンテンツ受信用に使用する。また、１ＣＤＭチャネルで伝送可能なビットレートは、例えば前記規格に記載あるように、現状想定されている運用伝送パラメータにおいては約２３６ｋｂｐｓである。例えば、音声データの伝送に６４ｋｂｐｓを使うとした場合、それは１ＣＤＭチャネル内で伝送可能である。また、映像等の場合はデータ量が多いため、例えば３８４ｋｂｐｓで伝送する場合２ＣＤＭチャネルを必要とする。このようにコンテンツによって１ＣＤＭを使用する場合と、２ＣＤＭを使用する場合とがあることから、コンテンツチャネル受信用に最大２ＣＤＭ、システムチャネル受信用に２ＣＤＭの計４ＣＤＭチャネルを同時受信可能な構成としている。
【００１５】
次に全体動作について説明する。図２は、本実施の形態に係るデジタル放送受信機の動作（デジタル放送受信方法）を示すフローチャートである。
【００１６】
アンテナ１より入力された衛星デジタル放送波はチューナモジュール２にて、ＣＰＵ８により選択指示されたシステムチャネル用の２ＣＤＭを復調し、ＴＳストリームとして２ＣＤＭ分のデータを多重してＴＳ分離部３に送る。ＴＳ分離部３は、入力されたＴＳストリームからＣＰＵ８の指示に従ってシステムチャネルのデータを抽出しＣＰＵ８へ送る。ＣＰＵ８はシステムチャネルの情報を解析することにより、所望の音声データ（音声データＡとする）が送られているＣＤＭチャネル（チャネルＡとする）を認識し、チューナモジュール２へ選択指示する。チューナモジュール２は、先に選択指示されているシステムチャネル用の２ＣＤＭに付加する形で、この選択指示された音声用の１ＣＤＭを復調し、ＴＳストリームとして合計３ＣＤＭ分のデータを多重しＴＳ分離部３に送る。このように、チューナモジュール２は、チャネルＡ（第１のチャネルの一例）を受信し（ステップＳ１０１：第１の受信ステップ）、受信したチャネルＡをトランスポートストリームに多重して出力する（ステップＳ１０２：第１の受信ステップ）。
【００１７】
ＴＳ分離部３は、ＣＰＵ８の指示により入力されたＴＳストリームから音声データを抽出し、スイッチ５を経由して音声デコーダ６へ送る。このように、ＴＳ分離部３は、チューナモジュール２が出力したトランスポートストリームからチャネルＡに多重された音声データＡを抽出する（ステップＳ１０３：第１の分離ステップ）。そして、スイッチ５は、ＴＳ分離部３が抽出した音声データＡ（第１のデジタル放送データの一例）を選択する（ステップＳ１０４：選択ステップ）。
【００１８】
音声デコーダ６は、入力される符号化された音声データに対してデコードを行い、スピーカ７を通して、聴取可能な音声として出力する。このように、出力部９は、スイッチ５が選択した音声データＡを出力する（ステップＳ１０５：第１の出力ステップ）。
【００１９】
次にこの音声聴取中に裏録を行う動作について説明する。ＣＰＵ８はまず、チューナモジュール２が同時選局可能な空きがあるかを判断する。現在、チューナモジュール２に対しては３ＣＤＭの同時選局指示をしているため、１ＣＤＭが余っていると判定する。従って、ＣＰＵ８は裏録を行う場合この余った１ＣＤＭを使用して任意のチャネル選局による裏録が可能であると判断する。このように、ＣＰＵ８は、チューナモジュール２が受信しているチャネルの数が所定の数未満であるか否かを判断する（ステップＳ１０６：判断ステップ）。
【００２０】
次に、ＣＰＵ８は、ＴＳ分離部３からのシステムチャネルの情報を解析し、録音したい所望の音声データ（音声データＢとする）が送られているＣＤＭチャネル（チャネルＢとする）を認識し、チューナモジュール２へ追加選局指示する。このように、チューナモジュール２が受信しているチャネルの数が所定の数未満である場合、ＣＰＵ８は、出力部９が出力している音声データＡが多重されたチャネルＡ以外のチャネルＢ（第２のチャネルの一例）を指定する（ステップＳ１０７：判断ステップ）。
【００２１】
チューナモジュール２は、先に選局指示されているシステムチャネル用の２ＣＤＭと聴取中の音声用１ＣＤＭに付加する形で、この選局指示された録音音声用の１ＣＤＭを復調し、ＴＳストリームとして合計４ＣＤＭ分のデータを多重しＴＳ分離部３に送る。このように、チューナモジュール２は、ＣＰＵ８が指定したチャネルＢを受信し（ステップＳ１０８：第２の受信ステップ）、受信したチャネルＢをトランスポートストリームに多重して出力する（ステップＳ１０９：第２の受信ステップ）。
【００２２】
ＴＳ分離部３は聴取中の音声データの分離処理と並行して、ＣＰＵ８の指示により入力されたＴＳストリームから録音用音声データを抽出し、蓄積部４に送る。これにより蓄積部４に録音データが蓄積されることとなる。このように、ＴＳ分離部３は、チューナモジュール２が出力したトランスポートストリームからチャネルＢに多重された音声データＢ（第２のデジタル放送データの一例）を抽出する（ステップＳ１１０：第２の分離ステップ）。そして、蓄積部４は、ＴＳ分離部３が抽出した音声データＢを蓄積する（ステップＳ１１１：蓄積ステップ）。
【００２３】
蓄積された録音データの再生は次のように行う。ＣＰＵ８はスイッチ５を蓄積部４からのデータに切り替える。これにより蓄積部４に録音された音声データが音声デコーダ６へ送られる。このように、スイッチ５は、蓄積部４が蓄積している音声データＢを選択する（ステップＳ１１２：選択ステップ）。
【００２４】
音声デコーダ６は、入力される符号化された音声データに対してデコードを行い、スピーカ７を通して音声出力を行う。このように、出力部９は、スイッチ５が選択した音声データＢを出力する（ステップＳ１１３：第２の出力ステップ）。
【００２５】
以上のように、本実施の形態に係るデジタル放送受信機は、デジタル放送を受信するチューナモジュール２と、このチューナモジュール２より出力されたトランスポートストリームを分離するＴＳ分離部３と、符号化された映像又は音声をデコードするデコーダ部（音声デコーダ６又は映像デコーダ）と、蓄積を行う蓄積部４とを備えたデジタル放送受信機において、チューナモジュール２に標準装備されている同時複数選局機能を利用し、視聴に供している同時選局数に対し、まだ他に同時選局可能な空きがあるかを判断する判断部（ＣＰＵ８）を設け、空きがあった場合に、その空きの同時選局機能を利用して裏番組録画ができるように構成したことを特徴とする。本実施の形態に係るデジタル放送受信機は、衛星デジタル放送を受信する携帯電話、及び専用端末等に利用できる。
【００２６】
このように、本実施の形態では、複数のチューナモジュールを使用せずに、視聴中の選局されたチャネルとは別のチャネルを選局し、裏録を可能とするデジタル放送受信機を提供する。デジタル放送を受信するチューナモジュール２における同時選局可能数は、例えば衛星デジタル音声放送運用規定（ＡＲＩＢ  ＴＲ−Ｂ２６の第７編付録）にて示されている受信機では４ＣＤＭチャネルとなる。前記規定ではシステムチャネル用に２ＣＤＭチャネルを使用し、残りの２ＣＤＭチャネルを映像及び音声等のコンテンツ用に使用する。映像用の場合は２ＣＤＭチャネルを使用する場合が多いため、システムチャネルと合わせて４ＣＤＭチャネル全てを使用する。しかし、音声用の場合は１ＣＤＭチャネルにて送信されているため、残りの１ＣＤＭチャネルが空いている状態となる。この同時選局可能数に空きがあるかをＣＰＵ８が判定し、空きがあると判断した場合はこの空きの１ＣＤＭチャネルを裏録用に使用する。これにより、裏録用に任意の局を選局することが可能となる。
【００２７】
実施の形態２．
本実施の形態について、主に実施の形態１との差異を説明する。
【００２８】
図３は、本実施の形態に係るデジタル放送受信機の構成を示すブロック図である。実施の形態１との違いは、スイッチ５の位置が音声デコーダ６の前にあるか、ＴＳ分離部３の前にあるかである。
【００２９】
図４は、本実施の形態に係るデジタル放送受信機の動作（デジタル放送受信方法）を示すフローチャートである。
【００３０】
衛星デジタル放送波を受信して聴取する動作は実施の形態１と同様である。チューナモジュール２は、チャネルＡを受信し（ステップＳ２０１：第１の受信ステップ）、受信したチャネルＡをトランスポートストリームＡ（第１のトランスポートストリームの一例）に多重して出力する（ステップＳ２０２：第１の受信ステップ）。スイッチ５は、チューナモジュール２が出力したトランスポートストリームＡを選択する（ステップＳ２０３：選択ステップ）。ＴＳ分離部３は、スイッチ５が選択したトランスポートストリームＡからチャネルＡに多重された音声データＡを抽出する（ステップＳ２０４：第１の分離ステップ）。出力部９は、ＴＳ分離部３が抽出した音声データＡを出力する（ステップＳ２０５：出力ステップ）。
【００３１】
また、音声聴取中の裏録を行う動作についても蓄積部４へ蓄積するデータの違いのみで、他は実施の形態１と同様である。ＣＰＵ８は、チューナモジュール２が受信しているチャネルの数が所定の数未満であるか否かを判断する（ステップＳ２０６：判断ステップ）。チューナモジュール２が受信しているチャネルの数が所定の数未満である場合、ＣＰＵ８は、出力部９が出力している音声データＡが多重されたチャネルＡ以外のチャネルＢを指定する（ステップＳ２０７：判断ステップ）。チューナモジュール２は、ＣＰＵ８が指定したチャネルＢを受信する（ステップＳ２０８：第２の受信ステップ）。チューナモジュール２は、受信したチャネルＢをトランスポートストリームＢ（第２のトランスポートストリームの一例）に多重して出力する（ステップＳ２０９：第２の受信ステップ）。蓄積部４は、チューナモジュール２が出力したトランスポートストリームＢを蓄積する（ステップＳ２１０：蓄積ステップ）。実施の形態１における蓄積部４に蓄積されるデータは、ＴＳストリームから抽出された音声データであるが、本実施の形態における蓄積部４には、音声データを含むＴＳデータの形式で蓄積される。
【００３２】
本実施の形態にて蓄積された録音データの再生は次のように行う。蓄積部４からのＴＳデータ形式で蓄積された音声データは、スイッチ５経由でＴＳ分離部３に送られる。スイッチ５は、蓄積部４からのデータをＴＳ分離部３に送るときのみ蓄積部４からのデータを選択するようにＣＰＵ８にて設定される。このように、スイッチ５は、蓄積部４が蓄積しているトランスポートストリームＢを選択する（ステップＳ２１１：選択ステップ）。
【００３３】
ＴＳ分離部３は、ＴＳデータ形式で入力されたストリームからＣＰＵ８の指示に基づいて音声データを抽出し、音声デコーダ６へ送る。このように、ＴＳ分離部３は、スイッチ５が選択したトランスポートストリームＢからチャネルＢに多重された音声データＢを抽出する（ステップＳ２１２：第２の分離ステップ）。
【００３４】
音声デコーダ６は、入力される符号化された音声データに対してデコードを行い、スピーカ７を通して音声出力を行う。このように、出力部９は、ＴＳ分離部３が抽出した音声データＢを出力する（ステップＳ２１３：出力ステップ）。
【００３５】
また、上記実施の形態１及び２では、デジタル放送データとして音声データを用いる場合について説明したが、デジタル放送データは映像データであってもよいし、さらには映像データと音声データの組合せ、又はその他のデータであってもよい。
【図面の簡単な説明】
【００３６】
【図１】実施の形態１に係るデジタル放送受信機の構成を示すブロック図である。
【図２】実施の形態１に係るデジタル放送受信機の動作を示すフローチャートである。
【図３】実施の形態２に係るデジタル放送受信機の構成を示すブロック図である。
【図４】実施の形態２に係るデジタル放送受信機の動作を示すフローチャートである。
【符号の説明】
【００３７】
１  アンテナ、２  チューナモジュール、３  ＴＳ分離部、４  蓄積部、５  スイッチ、６  音声デコーダ、７  スピーカ、８  ＣＰＵ、９  出力部。
【図１】
2007281993.tif 000003
【図２】
2007281993.tif 000004
【図３】
2007281993.tif 000005
【図４】
2007281993.tif 000006